(57)【要約】【課題】作業員が警備装置の設置現場まで赴くことなく書換作業が行え、書換のための費用と時間を抑えることができ、正規の作業員以外の警備装置へのアクセスを防止することができる警備装置、ホスト装置、警備システム及び警備装置のプログラム書換方法を提供することにある。【解決手段】ホスト装置から送られてくる認証情報であるＩＤ情報が正規なものであるか否かを確認するＩＤ情報チェック手段と、ＩＤ情報が正規な場合に、プログラムと交換可能な書換プログラムをホスト装置から受信するプログラム受信手段と、受信した書換プログラムの機種情報である属性情報が警備装置の属性情報と一致するか否かを確認する属性情報チェック手段と、属性情報が一致した場合に、受信した書換プログラムをプログラムと書き換える書換手段とを備えることを特徴とする。【選択図】  図１
2004280330.tif 000002
【特許請求の範囲】
【請求項１】
記憶手段に記憶されたプログラムで動作すると共に、伝送路を介してホスト装置と接続された警備装置において、
該ホスト装置から送られてくる認証情報であるＩＤ情報が正規なものであるか否かを確認するＩＤ情報チェック手段と、
該ＩＤ情報が正規な場合に、該プログラムと交換可能な書換プログラムを該ホスト装置から受信するプログラム受信手段と、
該受信した書換プログラムの機種情報である属性情報が該警備装置の属性情報と一致するか否かを確認する属性情報チェック手段と、
該属性情報が一致した場合に、該受信した書換プログラムを該プログラムと書き換える書換手段とを備えることを特徴とする警備装置。
【請求項２】
記憶手段に記憶されたプログラムで動作すると共に、伝送路を介してホスト装置と接続された警備装置において、
該ホスト装置から送られてくる認証情報であるＩＤ情報が正規なものであるか否かを確認するＩＤ情報チェック手段と、
該ＩＤ情報が正規な場合に、該警備装置の機種を示す属性情報を該ホスト装置に送信する属性情報送信手段と、
該ホスト装置が該属性情報に適合すると判断して送信した、該プログラムと交換可能な書換プログラムを受信するプログラム受信手段と、
該受信した書換プログラムを該記憶手段に記憶されたプログラムと書き換える書換手段とを備えることを特徴とする警備装置。
【請求項３】
前記受信した書換プログラムに伝送上の誤りがあるか否かを検出し、誤りがある場合に書き換えを中止する誤り検出手段を備えることを特徴とする請求項１又は請求項２記載の警備装置。
【請求項４】
前記ホスト装置から前記書換プログラムを受信した場合には、該受信した書換プログラムを正規なものとして前記プログラムの書換を行うことを特徴とする請求項２又は請求項３記載の警備装置。
【請求項５】
記憶手段に記憶されたプログラムで動作する警備装置に、伝送路を介して接続されたホスト装置において、
該警備装置が正規の接続であるか否かを確認するための認証情報であるＩＤ情報を該警備装置に送信するＩＤ情報送信手段と、
該プログラムと交換可能な書換プログラムを該警備装置に送信するプログラム送信手段とを備えることを特徴とするホスト装置。
【請求項６】
前記警備装置から送られてくる前記警備装置の機種を示す属性情報により、該警備装置に適する前記書換プログラムを選択する属性情報チェック手段を備えることを特徴とする請求項５記載のホスト装置。
【請求項７】
前記プログラム送信手段で送信する前記書換プログラムに異常があるか否かを確認し、異常がある場合には送信を中止する送信プログラムチェック手段を備えることを特徴とする請求項５又は請求項６記載のホスト装置。
【請求項８】
記憶手段に記憶されたプログラムで動作する警備装置と、該警備装置と伝送路を介して接続されたホスト装置とを備える警備システムにおいて、
該ホスト装置から送られてくる認証情報であるＩＤ情報が正規なものであるか否かを確認するＩＤ情報チェック手段と、
該ＩＤ情報が正規な場合に、該プログラムと交換可能な書換プログラムを該ホスト装置から受信するプログラム受信手段と、
該受信した書換プログラムの機種情報である属性情報が該警備装置の属性情報と一致するか否かを確認する属性情報チェック手段と、
該属性情報が一致した場合に、該受信した書換プログラムを該プログラムと書き換える書換手段とを有する警備装置と、
該ＩＤ情報を該警備装置に送信するＩＤ情報送信手段と、
該書換プログラムを該警備装置に送信するプログラム送信手段とを有するホスト装置とを備えることを特徴とする警備システム。
【請求項９】
記憶手段に記憶されたプログラムで動作する警備装置と、該警備装置と伝送路を介して接続されたホスト装置とを備える警備システムにおいて、
該ホスト装置から送られてくる認証情報であるＩＤ情報が正規なものであるか否かを確認するＩＤ情報チェック手段と、
該ＩＤ情報が正規な場合に、該警備装置の機種を示す属性情報を該ホスト装置に送信する属性情報送信手段と、
該ホスト装置が該属性情報に適合すると判断して送信した、該プログラムと交換可能な書換プログラムを受信するプログラム受信手段と、
該受信した書換プログラムを該記憶手段に記憶されたプログラムと書き換える書換手段とを有する該警備装置と、
該ＩＤ情報を該警備装置に送信するＩＤ情報送信手段と、
該警備装置から送られてくる属性情報により、該警備装置に適する該書換プログラムを選択する属性情報チェック手段と、
該選択された書換プログラムを該警備装置に送信するプログラム送信手段とを有する該ホスト装置とを備えることを特徴とする警備システム。
【請求項１０】
前記警備装置が、前記受信した書換プログラムに伝送上の誤りがあるか否かを検出し、誤りがある場合に書き換えを中止する誤り検出手段を有することを特徴とする請求項８又は請求項９記載の警備システム。
【請求項１１】
前記警備装置が、前記ホスト装置から前記書換プログラムを受信した場合には、該受信した書換プログラムを正規なものとして前記プログラムの書換を行うことを特徴とする請求項９又は請求項１０記載の警備システム。
【請求項１２】
前記ホスト装置が、前記プログラム送信手段で送信する前記書換プログラムに異常があるか否かを確認し、異常がある場合には送信を中止する送信プログラムチェック手段を有することを特徴とする請求項８〜請求項１１のいずれかに記載の警備システム。
【請求項１３】
記憶手段に記憶されたプログラムで動作すると共に、伝送路を介してホスト装置に接続された警備装置のプログラム書換方法において、
該警備装置が、該ホスト装置から送られてくる認証情報であるＩＤ情報が正規なものであるか否かをチェックし、
該ＩＤ情報が正規な場合に、該警備装置が、該ホスト装置から送られてくる該プログラムと交換可能な書換プログラムを受信した後、
該警備装置が、該受信した書換プログラムの機種情報である属性情報が該警備装置の属性情報と一致するか否かを確認し、
該属性情報が一致した場合に、該警備装置が、該受信した書換プログラムを該プログラムと書き換えることを特徴とする警備装置のプログラム書換方法。
【請求項１４】
記憶手段に記憶されたプログラムで動作すると共に、伝送路を介してホスト装置に接続された警備装置のプログラム書換方法において、
該警備装置が、該ホスト装置から送られてくる認証情報であるＩＤ情報が正規なものであるか否かをチェックし、
該ＩＤ情報が正規な場合に、該警備装置が、該警備装置の機種を示す属性情報を該ホスト装置に送信し、
該ホスト装置が、該属性情報により該警備装置に適する該プログラムと交換可能な書換プログラムを選択して該警備装置に送信し、
該警備装置が、該ホスト装置から送られてくる書換プログラムを受信した後、
該警備装置が、該受信した書換プログラムを該プログラムと書き換えることを特徴とする警備装置のプログラム書換方法。
【請求項１５】
前記受信した書換プログラムに伝送上の誤りがあるか否かを検出し、誤りがある場合に書き換えを中止することを特徴とする請求項１３又は請求項１４記載の警備装置のプログラム書換方法。
【請求項１６】
前記警備装置が、前記ホスト装置から前記書換プログラムを受信した場合には、該受信した書換プログラムを正規なものとして前記プログラムの書換を行うことを特徴とする請求項１４又は請求項１５記載の警備装置のプログラム書換方法。
【請求項１７】
前記ホスト装置が、送信する前記書換プログラムに異常があるか否かを確認し、異常がある場合には送信を中止することを特徴とする請求項１３〜請求項１６のいずれかに記載の警備装置のプログラム書換方法。
【発明の詳細な説明】
【０００１】
【発明の属する技術分野】
本発明は、プログラムで動作する警備装置に関し、特に該プログラムの書換可能な警備装置、ホスト装置、警備システム及び警備装置のプログラム書換方法に関する。
【０００２】
【従来の技術】
従来より、侵入者の検知等を目的とする、いわゆる警備用途に用いられる装置である警備装置は、電気的に書換可能または着脱でき交換可能な不揮発性メモリを搭載し、この不揮発性メモリに記憶したプログラムで動作する構成を有している。そして、プログラムの書換又は交換は、作業員が設置現場まで赴き、警備装置に書換用の装置を接続して書換により行ったり、着脱可能なＲＯＭの交換により行っていた。
【０００３】
しかしながら、書換の場合、書換用の装置として市販の汎用のパーソナルコンピュータが用いられるケースが多く、作業員以外が容易に警備装置にアクセスできてしまうおそれがあった。そこで、例えば、特許文献１に示すように、ストラップピンによる機械的な仕掛けを設け、書換時にストラップピンを差し替えることで不正なアクセスを防止する方法が提案されている。
【０００４】
【特許文献１】
特開平１０−３５８４号公報
【０００５】
【発明が解決しようとする課題】
しかしながら、従来のストラップピンによる方法やＲＯＭの交換では、作業員以外が容易に警備装置にアクセスできないものの、作業員が警備装置の設置現場まで赴く必要があり、多大な費用と時間を費やしていた。
【０００６】
本発明は、このような事情に鑑みてなされたもので、作業員が警備装置の設置現場まで赴くことなく書換作業が行え、書換のための費用と時間を抑えることができ、正規の作業員以外の警備装置へのアクセスを防止することができる警備装置、ホスト装置、警備システム及び警備装置のプログラム書換方法を提供することにある。
【０００７】
【課題を解決するための手段】
請求項１記載の警備装置は、ホスト装置から送られてくる認証情報であるＩＤ情報が正規なものであるか否かを確認するＩＤ情報チェック手段と、ＩＤ情報が正規な場合に、プログラムと交換可能な書換プログラムをホスト装置から受信するプログラム受信手段と、受信した書換プログラムの機種情報である属性情報が警備装置の属性情報と一致するか否かを確認する属性情報チェック手段と、属性情報が一致した場合に、受信した書換プログラムをプログラムと書き換える書換手段とを備えることを特徴とする。
【０００８】
請求項２記載の警備装置は、ホスト装置から送られてくる認証情報であるＩＤ情報が正規なものであるか否かを確認するＩＤ情報チェック手段と、ＩＤ情報が正規な場合に、警備装置の機種を示す属性情報をホスト装置に送信する属性情報送信手段と、ホスト装置が属性情報に適合すると判断して送信した、プログラムと交換可能な書換プログラムを受信するプログラム受信手段と、受信した書換プログラムを記憶手段に記憶されたプログラムと書き換える書換手段とを備えることを特徴とする。
【０００９】
請求項３記載の警備装置は、受信した書換プログラムに伝送上の誤りがあるか否かを検出し、誤りがある場合に書き換えを中止する誤り検出手段を備えることを特徴とする。
【００１０】
請求項４記載の警備装置は、ホスト装置から書換プログラムを受信した場合には、受信した書換プログラムを正規なものとしてプログラムの書換を行うことを特徴とする。
【００１１】
請求項５記載のホスト装置は、警備装置が正規の接続であるか否かを確認するための認証情報であるＩＤ情報を警備装置に送信するＩＤ情報送信手段と、プログラムと交換可能な書換プログラムを警備装置に送信するプログラム送信手段とを備えることを特徴とする。
【００１２】
請求項６記載のホスト装置は、警備装置から送られてくる警備装置の機種を示す属性情報により、警備装置に適する書換プログラムを選択する属性情報チェック手段を備えることを特徴とする。
【００１３】
請求項７記載のホスト装置は、プログラム送信手段で送信する書換プログラムに異常があるか否かを確認し、異常がある場合には送信を中止する送信プログラムチェック手段を備えることを特徴とする。
【００１４】
請求項８記載の警備システムは、ホスト装置から送られてくる認証情報であるＩＤ情報が正規なものであるか否かを確認するＩＤ情報チェック手段と、ＩＤ情報が正規な場合に、プログラムと交換可能な書換プログラムをホスト装置から受信するプログラム受信手段と、受信した書換プログラムの機種情報である属性情報が警備装置の属性情報と一致するか否かを確認する属性情報チェック手段と、属性情報が一致した場合に、受信した書換プログラムをプログラムと書き換える書換手段とを有する警備装置と、ＩＤ情報を警備装置に送信するＩＤ情報送信手段と、書換プログラムを警備装置に送信するプログラム送信手段とを有するホスト装置とを備えることを特徴とする。
【００１５】
請求項９記載の警備システムは、ホスト装置から送られてくる認証情報であるＩＤ情報が正規なものであるか否かを確認するＩＤ情報チェック手段と、ＩＤ情報が正規な場合に、警備装置の機種を示す属性情報を該ホスト装置に送信する属性情報送信手段と、ホスト装置が属性情報に適合すると判断して送信した、プログラムと交換可能な書換プログラムを受信するプログラム受信手段と、受信した書換プログラムを記憶手段に記憶されたプログラムと書き換える書換手段とを有する警備装置と、ＩＤ情報を警備装置に送信するＩＤ情報送信手段と、警備装置から送られてくる属性情報により、警備装置に適する書換プログラムを選択する属性情報チェック手段と、選択された書換プログラムを警備装置に送信するプログラム送信手段とを有するホスト装置とを備えることを特徴とする。
【００１６】
請求項１０記載の警備システムは、警備装置が、受信した書換プログラムに伝送上の誤りがあるか否かを検出し、誤りがある場合に書き換えを中止する誤り検出手段を有することを特徴とする。
【００１７】
請求項１１記載の警備システムは、警備装置が、ホスト装置から書換プログラムを受信した場合には、受信した書換プログラムを正規なものとしてプログラムの書換を行うことを特徴とする。
【００１８】
請求項１２記載の警備システムは、ホスト装置が、プログラム送信手段で送信する書換プログラムに異常があるか否かを確認し、異常がある場合には送信を中止する送信プログラムチェック手段を有することを特徴とする。
【００１９】
請求項１３記載の警備装置のプログラム書換方法は、警備装置が、ホスト装置から送られてくる認証情報であるＩＤ情報が正規なものであるか否かをチェックし、ＩＤ情報が正規な場合に、警備装置が、ホスト装置から送られてくるプログラムと交換可能な書換プログラムを受信した後、警備装置が、受信した書換プログラムの機種情報である属性情報が警備装置の属性情報と一致するか否かを確認し、属性情報が一致した場合に、警備装置が、受信した書換プログラムをプログラムと書き換えることを特徴とする。
【００２０】
請求項１４記載の警備装置のプログラム書換方法は、警備装置が、ホスト装置から送られてくる認証情報であるＩＤ情報が正規なものであるか否かをチェックし、ＩＤ情報が正規な場合に、警備装置が、警備装置の機種を示す属性情報を該ホスト装置に送信し、ホスト装置が、属性情報により警備装置に適するプログラムと交換可能な書換プログラムを選択して警備装置に送信し、警備装置が、ホスト装置から送られてくる書換プログラムを受信した後、警備装置が、受信した書換プログラムを該プログラムと書き換えることを特徴とする。
【００２１】
請求項１５記載の警備装置のプログラム書換方法は、受信した書換プログラムに伝送上の誤りがあるか否かを検出し、誤りがある場合に書き換えを中止することを特徴とする。
【００２２】
請求項１６記載の警備装置のプログラム書換方法は、警備装置が、ホスト装置から書換プログラムを受信した場合には、受信した書換プログラムを正規なものとしてプログラムの書換を行うことを特徴とする。
【００２３】
請求項１７記載の警備装置のプログラム書換方法は、ホスト装置が、送信する書換プログラムに異常があるか否かを確認し、異常がある場合には送信を中止することを特徴とする。
【００２４】
【発明の実施の形態】
以下、本発明の形態について図面を参照しながら具体的に説明する。図１は、本発明に係る警備システムの一例を示す構成図である。図２はホストコンピュータの一例を示す構成図であり、図３は警備装置の一例を示す構成図である。
【００２５】
図１に示す警備システム１は、オフィス、個人住宅等に設置された防犯用の警備装置２０と、警備装置２０を監視したり集中管理するホスト装置であるホストコンピュータ１０、及びホストコンピュータ１０と警備装置２０とをオンラインで接続する伝送路である通信回線５とから構成されている。尚、通信回線５は、一般の加入電話網やＩＳＤＮに代表される公衆網や、インターネット、ＬＡＮ、光ファイバ回線やその他の双方向に情報の伝達が可能な電気通信回線である。また、通信回線５は有線回線に限られるものではなく無線回線であってもよい。
【００２６】
図２に詳細な構成を示すホストコンピュータ１０は、ＣＰＵ１１、メモリ１２，１３、表示器１４、入力部１５等を備えるコンピュータであり、メモリ１２に記憶されているプログラムであるホストアプリケーション３５により動作している。ホストコンピュータ１０の動作の様子は、表示器１４でモニタできると共に、必要に応じて作業者がキーボード等の入力部１５によりホストコンピュータ１０に指示を与えることができる。尚、本発明の詳細な説明のホストアプリケーション３５は、後述する警備装置２０のプログラム３０の書換処理を行うためのプログラムであり、書換機能のみを有するアプリケーションである場合や警備装置２０の管理・監視を行う警備用のアプリケーションの一部を構成するものであってもよい。
【００２７】
また、ホストコンピュータ１０は、外部と電気的に接続するためのインタフェース部１６を備え、シリアル通信やパラレル通信が可能である。尚、ホストコンピュータ１０を通信回線５と接続するには、通信回線５の種別によりプロトコルや信号レベル等の変換を行うモデムやターミナルアダプタ等の通信装置７が必要である。尚、通信回線５を用いることなく接続ケーブル６で警備装置２０と直結することも可能であり、この場合は、通信装置７を介することなくインタフェース部１６に接続できる場合もある。接続ケーブル６を用いた接続には、ＲＳ−２３２Ｃ等のシリアル通信やセントロニクス形式等のパラレル通信や、ＵＳＢ、ＳＣＳＩ、ＧＰＩＢ等でもよく、通信形式が限定されるものではない。また、接続は、有線に限られず、無線やＩｒＤＡのような光接続であってもよく、特定なものに限定されるものではない。
【００２８】
また、ホストコンピュータ１０は、ホストアプリケーション３５を記憶するメモリ１２の他に、メモリ１３を備えている。このメモリ１３には、後述する警備装置２０が動作するためのプログラム３０と交換可能な書換プログラム３６，３７が記憶されている。書換プログラム３６，３７は、メモリ１３に１つだけ記憶されていることもあれば、２つ以上の複数の書換プログラムが記憶されている場合もある。また、書換プログラムの種類も、警備装置の１つの機種である警備装置２０の為のものだけに限らず、機種ごとに複数の書換プログラムが記憶されている場合や、１つの機種用でもバージョンの異なる書換プログラムが記憶されている場合もある。尚、メモリ１２とメモリ１３とを、例えばハードディスクのような大容量のメモリで賄うことも可能である。尚、ホスト装置として、ホストコンピュータ１０を用いた場合を説明しているが、ホスト装置は、ホストアプリケーション３５でプログラマブルに動作するものに限られず、論理素子のみで動作する電子機器でもよく、また警備装置２０のプログラム３０を書き換える機能のみを有するものであってもよい。
【００２９】
次に、警備装置２０は、ＣＰＵ２１、フラッシュＲＯＭ２２、ＥＥＰＲＯＭ２３、ＲＡＭ２４等を備えるプログラム３０で動作する電子機器である。プログラム３０は、書換可能な不揮発性メモリであるフラッシュＲＯＭ２２に記憶されており、適宜ＣＰＵ２１に読み出されて動作する。尚、フラッシュＲＯＭ２２及びＥＥＰＲＯＭ２３は、電気的に書換可能な不揮発性メモリであればよく、本例のデバイスに限られるものではない。ＲＡＭ２４は、プログラム３０が動作するために使用する揮発性メモリであり、例えば、後述する受信した書換プログラム３６，３７を一時的に記憶しておくためのものである。ＥＥＰＲＯＭ２３は、書換可能な小容量の不揮発性メモリである。時計２５は、計時機能を有する時計ＩＣであり、ＣＰＵ２１に対して時間情報を提供する。
【００３０】
また、警備装置２０は、外部と電気的に接続するためのインタフェース部２６を備え、シリアル通信やパラレル通信が可能である。インタフェース部２６を介して接続される機器としては、ホストコンピュータ１０の他に、侵入者を検知するための各種センサ等も含まれる。尚、警備装置２０を通信回線５と接続するには、通信回線５の種別によりプロトコルや信号レベル等の変換を行うモデムやターミナルアダプタ等の機能を有する通信制御部２７が必要である。尚、警備装置２０は、汎用の電子機器ではないことから、ホストコンピュータ１０の様に外付けの通信装置７を用いず、通信制御部２７を内蔵して通信回線５との接続を行っているが、これに限らずホストコンピュータ１０と同様に、通信装置７を用いる構成にしてもよい。
【００３１】
尚、通信回線５を用いることなく接続ケーブル６でホストコンピュータ１０と直結することも可能であり、この場合は、通信制御部２７を介することなくインタフェース部２６に接続できる場合もある。接続ケーブル６を用いた接続には、ＲＳ−２３２Ｃ等のシリアル通信やセントロニクス形式等のパラレル通信や、ＵＳＢ、ＳＣＳＩ、ＧＰＩＢ等でもよく、通信形式が限定されるものではない。また、接続は、有線に限られず、無線やＩｒＤＡのような光接続であってもよく、特定なものに限定されるものではない。
【００３２】
次に、第１の実施の形態における警備システム１を構成する警備装置２０のプログラム３０の書換方法について図４、図５及び図６を用いて説明する。第１の実施の形態における警備システム１の書換は、ホストコンピュータ１０が主導的にプログラム３０の書換を行うものである。尚、以下の説明で書換処理に係る各種手段を用いているが、これらはプログラム３０、ホストアプリケーション３５等により実現されるものである。また、括弧内の符号はフローチャート及びタイムチャートの符号に対応している。
【００３３】
まず、作業者がホストコンピュータ１０に入力部１５を介して、書換処理開始の指示をあたえる。そのとき、作業者は、書換プログラム３６，３７のいずれを送信するか選択する。説明の便宜上、書換プログラム３６を選択したものとする。
【００３４】
次に、ホストコンピュータ１０は、書換プログラム３６をメモリ１３からＣＰＵ１１（ホストアプリケーション３５）に読み込む（Ｓ１０１）。書換プログラム３６のデータフォーマットとしては、例えば、ＨＥＸファイルフォーマット形式のモトローラＳフォーマットやインテルＨＥＸフォーマット等がある。尚、書換プログラム３６は、加工を施さずに送信してもいいし、予め暗号化や圧縮等の加工を行ったり、送信直前に暗号化や圧縮等の加工を行った後に送信してもよい。すなわち、警備装置２０で書き換えられる直前のデータと同一である必要はなく、書換プログラム３６を送信する過程で、ホストアプリケーション３５又は警備装置２０によりデータフォーマット変換を行うことも可能である。具体例としては、書換プログラム３６が、モトローラＳフォーマットのＡＳＣＩＩデータから成り、それを読み込むホストアプリケーション３５が、書き込み用のバイナリイメージデータへフォーマット変換した後に、警備装置２０へ送信するような形態である。
【００３５】
ホストアプリケーション３５に読み込まれた書換プログラム３６は、送信プログラムチェック手段であるホストアプリケーション３５のルーチンで、データ上の異常があるか否かが確認される（Ｓ１０２）。書換プログラム３６は、予めデータ上の異常を検出するための付加データが加えられており、例えば付加データの一例であるチェックサムを確認することにより、書換プログラム３６の異常の確認を行う。尚、付加データはチェックサムに限られるものではなく、書換プログラム３６のデータ上の異常が検出できるものであればよく、また異常の検出が可能であれば付加データによらなくてもよい。また、付加データを送信プログラムチェック手段でのみ用いるのみならず、後述する誤り検出手段で用いてもよい。付加データとしては、例えば、垂直パリティ、水平パリティ、チェックサム、ハミング符号、ファイア符号、ＲＳ符号、生成多項式による符号（例えば、ＣＲＣ）等がある。
【００３６】
読み込まれた書換プログラム３６に異常がある場合には（Ｓ１０２−Ｎｏ）、書換処理を終了する。正常な場合には（Ｓ１０２−Ｙｅｓ）、次の手段に移行する。書換プログラム３６に異常があるか否かを確認し、異常がある場合には送信を中止することにより、書換作業による不具合の発生を抑え、信頼性の高い書換が可能である。尚、送信プログラムチェック手段を必ず設けなければならないというものではない。
【００３７】
次に、ホストコンピュータ１０は、ＩＤ情報送信手段であるホストアプリケーション３５のルーチンにより、警備装置２０に対してＩＤ情報３５ａを送信する（Ｓ１０３）。ＩＤ情報３５ａは、警備装置２０が正規の接続であるか否かを確認するための認証情報であり、ホストアプリケーション３５に包含されている情報である。ホストコンピュータ１０が、汎用のコンピュータの場合には、ＩＤ情報３５ａをホストアプリケーション３５に包含させる方が好都合であるが、専用の電子機器のような場合には、別途メモリを設け、その中にＩＤ情報３５ａを記憶しておいてもよい。尚、ＩＤ情報３５ａの送信に先立ち、ホストコンピュータ１０と警備装置２０との間で回線接続や通信のためのネゴシエーションが必要になる場合もある。
【００３８】
ＩＤ情報３５ａを受信した警備装置２０は（Ｓ１２１）、ＩＤ情報チェック手段であるプログラム３０のルーチンにより、ＩＤ情報３５ａを自己が持つＩＤ情報３１と比較し（Ｓ１２２）、ＩＤ情報３１，３５ａが一致した場合には（Ｓ１２２−Ｙｅｓ）、ＩＤ情報３５ａが一致した旨の肯定応答をホストコンピュータ１０に送信する（Ｓ１２３）。ＩＤ情報３５ａが不正規のものであって一致しない場合は、警備装置２０は書換処理を中止し（Ｓ１２２−Ｎｏ）、ホストコンピュータ１０側でも肯定応答が受信できないことから、書換処理を中止する（Ｓ１０４−Ｎｏ）。このように、警備装置２０に接続されたホストコンピュータ１０を、ＩＤ情報３５ａを用いて認証（確認）することにより、正規の作業員以外の警備装置２０へのアクセスを防止することができる。
【００３９】
肯定応答を受信したホストコンピュータ１０は、次に、書換モード移行要求を警備装置２０に送信する（Ｓ１０５）。書換モード移行要求を受信した警備装置２０は（Ｓ１２４−Ｙｅｓ）、警備を行う通常モードから、プログラム３０の書換を行う書換モードに移行する（Ｓ１２５）。尚、書換モードに移行したことを肯定応答としてホストコンピュータ１０に送信してもよい。
【００４０】
次に、警備装置２０は、属性情報送信手段であるプログラム３０のルーチンにより、警備装置２０の機種情報である属性情報３０ａをホストコンピュータ１０に送信する（Ｓ１２６）。この属性情報３０ａは、プログラム３０の中に包含されているように図１及び図３では記載しているが、他の部分に記憶して用いることも可能である。属性情報３０ａを受信したホストコンピュータ１０は（Ｓ１０６−Ｙｅｓ）、受信した旨の肯定応答を警備装置２０に送信すると共に、属性情報３０ａを表示器１４に表示する（Ｓ１０７）。属性情報３０ａが受信できなかった場合には、ホストコンピュータ１０は、書換処理を中止する（Ｓ１０６−Ｎｏ）。作業者は、表示器１４に示された属性情報３０ａを参照して、実際に書換を行うか否かを選択する。具体的には、書換を行う場合には、入力部１５を介して“実行”を入力し、書換を行わない場合には、“中止”を入力する（Ｓ１０８）。このように、警備装置２０から属性情報３０ａを送信する属性情報送信手段を備え、ホストコンピュータ１０側で警備装置２０の機種を特定できるようにすることで、異なる機種用の書換プログラムの送信を防止し、書換作業による不具合の発生を抑え、信頼性の高い書換が可能である。
【００４１】
尚、属性情報３０ａにプログラム３０のバージョン情報を含ませ、機種情報に加えバージョン情報を表示器１４に示すことも可能である。このように、ホストコンピュータ１０側でバージョン情報を特定できるようにすることで、所望しないバージョンの書換プログラムの送信を防止し、書換作業による不具合の発生を抑え、信頼性の高い書換が可能である。
【００４２】
尚、属性情報送信手段で警備装置２０の属性情報３０ａを確認するのではなく、後述する警備装置２０側の属性情報チェック手段を用いて、書換プログラム３６の属性情報３６ａを確認するようにしてもよい。
【００４３】
ホストコンピュータ１０で入力された“実行”又は“中止”の選択結果は、警備装置２０に送信される（Ｓ１０９）。選択結果を受信した警備装置２０側でも（Ｓ１２７）、ホストコンピュータ１０でも、選択結果が“中止”の場合には、書換処理を中止する（Ｓ１１０−Ｎｏ、Ｓ１２８−Ｎｏ）。選択結果が“実行”の場合（Ｓ１２８−Ｙｅｓ）、警備装置２０は、ホストコンピュータ１０に対して、プログラム送信要求を送信する（Ｓ１２９）。プログラム送信要求を受信したホストコンピュータ１０は（Ｓ１１１−Ｙｅｓ）は、書換プログラム３６を、プログラム送信手段であるホストアプリケーション３５のルーチンにより、警備装置２０に送信する（Ｓ１１２）。プログラム送信要求を受信できなかった場合（Ｓ１１１−Ｎｏ）、ホストコンピュータ１０は書換処理を中止する。
【００４４】
警備装置２０は、ホストコンピュータ１０から送られてくる書換プログラム３６をプログラム受信手段であるプログラム３０のルーチンにより、受信し（Ｓ１３０）、一旦、ＲＡＭ２４に格納する（Ｓ１３１）。警備装置２０は、誤り検出手段であるプログラム３０のルーチンにより、ＲＡＭ２４に格納した書換プログラム３６に、伝送上の誤りが無いか確認する（Ｓ１３２）。この誤り検出は、前述した付加データを用いたり、それ以外の情報により行ってもよい。誤り検出方法は、伝送路である通信回線５の種別・性質により選択するのが望ましく、ＣＲＣ符号など生成多項式を用いたものが好ましい。
【００４５】
尚、誤り検出手段で誤りを検出した場合には、誤りがあった旨をホストコンピュータ１０に伝え（Ｓ１１３−Ｎｏ）、改めて書換プログラム３６を送信してもらい（Ｓ１１２）、再度誤りの有無を確認する（Ｓ１３２）。書換プログラム３６の送信を所定回数行っても、誤りがなくならない場合には、書換処理を中止する。このように、書換プログラム３６に伝送上の誤りがある場合に書き換えを中止する誤り検出手段を備えることで、誤りを含む書換プログラム３６の使用を防止し、信頼性の高い書換が可能である。尚、誤り検出手段は、必ず備えなければならないわけではなく、例えば、接続ケーブル６を用いるために伝送上の誤りが無いことが予想できる場合には、備えなくてもよい。
【００４６】
受信した書換プログラム３６に伝送上の誤りが無いことを確認した警備装置２０は、ホストコンピュータ１０の送信プログラムチェック手段と同様な手段であるプログラム３０のルーチンにより、書換プログラム３６に異常があるか否かを確認する（Ｓ１３３）。異常がある場合には（Ｓ１３３−Ｎｏ）、書換処理を中止し、異常が無い場合には（Ｓ１３３−Ｙｅｓ）、書換手段であるプログラム３０のルーチンにより、実際の書換処理を行う。具体的には、まず、不揮発性メモリであるフラッシュＲＯＭ２２のプログラム３０を消去する（Ｓ１３４）。次に、書換プログラム３６を、フラッシュＲＯＭ２２に書き込む（Ｓ１３５）。そして、書換が終了した旨の書換実行結果をホストコンピュータ１０に送信する（Ｓ１３６）。書換実行結果を受信したホストコンピュータ１０は（Ｓ１１４）、書換結果を表示器１４に表示し（Ｓ１１５）、書換処理を終了する。一方、書換実行結果を送信した警備装置２０は、通常モードに移行し（Ｓ１３７）、新しいプログラム３６で、動作を開始する。尚、警備装置２０は、書換モードに移行した後に（Ｓ１２５）書換処理を中止した場合には、従来からのプログラム３０のままで通常モードに移行し（Ｓ１３７）、警備を継続することとなる。また、書換処理を終了した場合、必要に応じて回線切断処理を行う。
【００４７】
以上のように、警備装置２０が、伝送路である通信回線５を介して書換プログラム３６を受信して書換を行うことから、作業員が警備装置２０の設置現場まで赴くことなく書換作業が行え、書換のための費用と時間を抑えることができる。また、ホストコンピュータ１０が正規なものか否かをＩＤ情報３５ａを基に確認することで、正規の作業員以外の警備装置２０へのアクセスを防止することができる。また、ＩＤ情報３５ａを送信するのが書換プログラム３６を所持するホストコンピュータ１０であることから、警備装置２０のＩＤ情報３１が警備装置２０の外側から不正に見ることができないため、より確実に警備装置２０への不正なアクセスを防止することができる。また、ホストコンピュータ１０は、通常モードにおいて、通信回線５を用いて警備装置２０を監視したり集中管理しており、通常モードで使用する通信回線を用いてプログラム３０の書換を行うことができることから、書換の為だけの接続を必要とせず、書換に係る費用を抑えることができる。
【００４８】
次に、第２の実施の形態における警備システム１を構成する警備装置２０のプログラム３０の書換方法について図７、図８及び図９を用いて説明する。第２の実施の形態における警備システム１の書換は、警備装置２０が主導的にプログラム３０の書換を行うものである。尚、警備システム１の構成は、図１、図２及び図３に示すように第１の実施例の場合と同一である。また、以下の説明で書換処理に係る各種手段を用いているが、これらはプログラム３０、ホストアプリケーション３５等により実現されるものである。また、括弧内の符号はフローチャート及びタイムチャートの符号に対応している。
【００４９】
まず、警備装置２０がＣＰＵ２１にて時計２５の情報の更新を行い（Ｓ２０１）、予め書換が予定された特定時間になったか否かを確認する（Ｓ２０２）。特定時間でない場合には（Ｓ２０２−Ｎｏ）、特に書換処理は行わない。特定時間であった場合には（Ｓ２０２−Ｙｅｓ）、ホストコンピュータ１０に書換実行要求を送信する（Ｓ２０３）。尚、書換実行要求の送信に先立ち、ホストコンピュータ１０と警備装置２０との間で回線接続や通信のためのネゴシエーションが必要になる場合もある。
【００５０】
書換実行要求を受信したホストコンピュータ１０は（Ｓ２２１−Ｙｅｓ）、ＩＤ情報送信手段であるホストアプリケーション３５のルーチンにより、警備装置２０に対してＩＤ情報３５ａを送信する（Ｓ２２２）。ＩＤ情報送信手段及びＩＤ情報３５ａは、第１の実施の形態と同一である。尚、書換実行要求を受信しない状態のホストコンピュータ１０は、書換処理を行わない（Ｓ２２１−Ｎｏ）。
【００５１】
ＩＤ情報３５ａを受信した警備装置２０は（Ｓ２０４）、ＩＤ情報チェック手段であるプログラム３０のルーチンにより、ＩＤ情報３５ａを自己が持つＩＤ情報３１と比較し（Ｓ２０５）、ＩＤ情報３１，３５ａが一致した場合には（Ｓ２０５−Ｙｅｓ）、ＩＤ情報３５ａが一致した旨の肯定応答をホストコンピュータ１０に送信する（Ｓ２０６）。ＩＤ情報３５ａが不正規のものであって一致しない場合は、警備装置２０は書換処理を中止し（Ｓ２０５−Ｎｏ）、ホストコンピュータ１０側でも肯定応答が受信できないことから、書換処理を中止する（Ｓ２２３−Ｎｏ）。このように、警備装置２０に接続されたホストコンピュータ１０を、ＩＤ情報３５ａを用いて認証（確認）することにより、正規の作業員以外の警備装置２０へのアクセスを防止することができる。
【００５２】
肯定応答を受信したホストコンピュータ１０は（Ｓ２２３−Ｙｅｓ）、次に、書換モード移行要求を警備装置２０に送信する（Ｓ２２４）。書換モード移行要求を受信した警備装置２０は（Ｓ２０７−Ｙｅｓ）、警備を行う通常モードから、プログラム３０の書換を行う書換モードに移行する（Ｓ２０８）。尚、書換モードに移行したことを肯定応答としてホストコンピュータ１０に送信してもよい。
【００５３】
次に、警備装置２０は、属性情報送信手段であるプログラム３０のルーチンにより、警備装置２０の機種情報である属性情報３０ａをホストコンピュータ１０に送信する（Ｓ２０８）。この属性情報３０ａは、第１の実施の形態で説明したものと同一である。属性情報３０ａを受信したホストコンピュータ１０は（Ｓ２２５−Ｙｅｓ）、属性情報チェック手段であるホストアプリケーション３５のルーチンで、属性情報３０ａに適合する例えば書換プログラム３６をメモリ１３からＣＰＵ１１（ホストアプリケーション３５）に読み込む（Ｓ２２６）。書換プログラム３６は、第１の実施の形態で説明したものと同一である。尚、属性情報３０ａが受信できなかった場合には、ホストコンピュータ１０は、書換処理を中止する（Ｓ２２５−Ｎｏ）。このように、警備装置２０から送られてくる属性情報３０ａにより、警備装置２０に適する書換プログラム３６を選択することから、書換作業による不具合の発生を抑え、信頼性の高い書換が可能であると共に、書換の迅速化を図ることができる。
【００５４】
尚、属性情報３０ａにプログラム３０のバージョン情報を含ませ、警備装置２０から属性情報３０ａとして送られてくる機種情報とバージョン情報とにより、警備装置２０に適する書換プログラム３６を選択することも可能である。このように、属性情報３０ａにバージョン情報を含ませることで、所望しないバージョンの書換プログラムの送信を防止し、書換作業による不具合の発生を抑え、信頼性の高い書換が可能である。
【００５５】
ホストアプリケーション３５に読み込まれた書換プログラム３６は、送信プログラムチェック手段であるホストアプリケーション３５のルーチンで、データ上の異常があるか否かが確認される（Ｓ２２７）。書換プログラム３６は、予めデータ上の異常を検出するための付加データが加えられており、例えば付加データの一例であるチェックサムを確認することにより、書換プログラム３６の異常の確認を行う。
【００５６】
読み込まれた書換プログラム３６に異常がある場合には（Ｓ２２７−Ｎｏ）、書換処理を中止する。正常な場合には（Ｓ２２７−Ｙｅｓ）、次の手段に移行する。書換プログラム３６に異常があるか否かを確認し、異常がある場合には送信を中止することにより、書換作業による不具合の発生を抑え、信頼性の高い書換が可能である。尚、送信プログラムチェック手段を必ず設けなければならないというものではない。
【００５７】
次に、ホストコンピュータ１０は、書換の“実行”を意味する書換実行選択を警備装置２０に送信する（Ｓ２２８）。書換実行選択を受信した警備装置２０は（Ｓ２０９−Ｙｅｓ）、ホストコンピュータ１０に対して、プログラム送信要求を送信する（Ｓ２１０）。警備装置２０が書換実行選択を受信できない場合には（Ｓ２０９−Ｎｏ）、書換を中止する。また、ホストコンピュータ１０が、プログラム送信要求を受信できない場合も（Ｓ２２９−Ｎｏ）、書換処理を中止する。
【００５８】
プログラム送信要求を受信したホストコンピュータ１０は（Ｓ２２９−Ｙｅｓ）は、書換プログラム３６を、プログラム送信手段であるホストアプリケーション３５のルーチンにより、警備装置２０に送信する（Ｓ２３０）。
【００５９】
警備装置２０は、ホストコンピュータ１０から送られてくる書換プログラム３６をプログラム受信手段であるプログラム３０のルーチンにより、受信し（Ｓ２１１）、一旦、ＲＡＭ２４に格納する（Ｓ２１２）。警備装置２０は、誤り検出手段であるプログラム３０のルーチンにより、ＲＡＭ２４に格納した書換プログラム３６に、伝送上の誤りが無いか確認する（Ｓ２１３）。この誤り検出は、前述した付加データを用いたり、それ以外の情報により行ってもよい。誤り検出方法は、伝送路である通信回線５の種別・性質により選択するのが望ましく、ＣＲＣ符号など生成多項式を用いたものが好ましい。
【００６０】
尚、誤り検出手段で誤りを検出した場合には（Ｓ２１３−Ｎｏ）、誤りがあった旨をホストコンピュータ１０に伝え、改めて書換プログラム３６を送信してもらい（Ｓ２３０）、再度誤りの有無を確認する（Ｓ２１３）。書換プログラム３６の送信を所定回数行っても、誤りがなくならない場合には、書換処理を中止する。このように、書換プログラム３６に伝送上の誤りがある場合に書き換えを中止する誤り検出手段を備えることで、誤りを含む書換プログラム３６の使用を防止し、信頼性の高い書換が可能である。尚、誤り検出手段は、必ず備えなければならないわけではなく、例えば、接続ケーブル６を用いるために伝送上の誤りが無いことが予想できる場合には、備えなくてもよい。
【００６１】
受信した書換プログラム３６に伝送上の誤りが無いことを確認した警備装置２０は、ホストコンピュータ１０の送信プログラムチェック手段と同様な手段であるプログラム３０のルーチンにより、書換プログラム３６に異常があるか否かを確認する（Ｓ２１４）。異常がある場合には（Ｓ２１４−Ｎｏ）、書換処理を中止し、異常が無い場合には（Ｓ２１４−Ｙｅｓ）、書換手段であるプログラム３０のルーチンにより、実際の書換処理を行う。具体的には、まず、不揮発性メモリであるフラッシュＲＯＭ２２のプログラム３０を消去する（Ｓ２１５）。次に、書換プログラム３６を、フラッシュＲＯＭ２２に書き込む（Ｓ２１６）。そして、書換が終了した旨の書換実行結果をホストコンピュータ１０に送信する（Ｓ２１７）。書換実行結果を受信したホストコンピュータ１０は（Ｓ２３２）、書換結果を表示器１４に表示し（Ｓ２３３）、書換処理を終了する。一方、書換実行結果を送信した警備装置２０は、通常モードに移行し（Ｓ２１８）、新しいプログラム３６で、動作を開始する。尚、警備装置２０は、書換モードに移行した後に（Ｓ２０８）書換処理を中止した場合には、従来からのプログラム３０のままで通常モードに移行し（Ｓ２１８）、警備を継続することとなる。また、書換処理を終了した場合、必要に応じて回線切断処理を行う。
【００６２】
以上のように、警備装置２０が、伝送路である通信回線５を介して書換プログラム３６を受信して書換を行うことから、作業員が警備装置２０の設置現場まで赴くことなく書換作業が行え、書換のための費用と時間を抑えることができる。また、ホストコンピュータ１０が正規なものか否かをＩＤ情報３５ａを基に確認することで、正規の作業員以外の警備装置２０へのアクセスを防止することができる。また、ＩＤ情報３５ａを送信するのが書換プログラム３６を所持するホストコンピュータ１０であることから、警備装置２０のＩＤ情報３１が警備装置２０の外側から不正に見ることができないため、より確実に警備装置２０への不正なアクセスを防止することができる。また、ホストコンピュータ１０は、通常モードにおいて、通信回線５を用いて警備装置２０を監視したり集中管理しており、通常モードで使用する通信回線を用いてプログラム３０の書換を行うことができることから、書換の為だけの接続を必要とせず、書換に係る費用を抑えることができる。
【００６３】
尚、ホストコンピュータ１０から書換プログラム３６が送られてきた場合、伝送上の誤りがある場合を除いて、絶えず正規なものとして書換を行うことも可能であり、書換の迅速化を図ることができる。
【００６４】
尚、ホスト装置であるホストコンピュータ１０をホストアプリケーションで動作するコンピュータとして説明したが、電子回路のみで構成した書換専用端末のような形態であってもよい。
【００６５】
【発明の効果】
請求項１の発明によれば、伝送路を介して書換プログラムを受信して書換を行うことから、作業員が警備装置の設置現場まで赴くことなく書換作業が行え、書換のための費用と時間を抑えることができる。また、ホスト装置が正規なものか否かをＩＤ情報を基に確認することで、正規の作業員以外の警備装置へのアクセスを防止することができる。
【００６６】
請求項２の発明によれば、作業員が警備装置の設置現場まで赴くことなく書換作業が行え、正規の作業員以外の警備装置へのアクセスを防止することができると共に、警備装置に適合した書換プログラムの書換が可能で、書換作業による不具合の発生を抑え、信頼性の高い書換が可能である。
【００６７】
請求項３の発明によれば、書換プログラムに伝送上の誤りがある場合に書き換えを中止する誤り検出手段を備えるため、誤りを含む書換プログラムの使用を防止し、信頼性の高い書換が可能である。
【００６８】
請求項４の発明によれば、ホスト装置から受信した書換プログラムを正規なものとして書換を行うことから、書換の迅速化を図ることができる。
【００６９】
請求項５の発明によれば、伝送路を介して書換プログラムを受信して書換を行うことから、作業員が警備装置の設置現場まで赴くことなく書換作業が行え、書換のための費用と時間を抑えることができる。また、ホスト装置が正規なものか否かをＩＤ情報を基に確認することで、正規の作業員以外の警備装置へのアクセスを防止することができる。
【００７０】
請求項６の発明によれば、警備装置から送られてくる属性情報により、警備装置に適する書換プログラムを選択することから、書換作業による不具合の発生を抑え、信頼性の高い書換が可能であると共に、書換の迅速化を図ることができる。
【００７１】
請求項７の発明によれば、書換プログラムに異常があるか否かを確認し、異常がある場合には送信を中止することにより、書換作業による不具合の発生を抑え、信頼性の高い書換が可能である。
【００７２】
請求項８の発明によれば、伝送路を介して書換プログラムを受信して書換を行うことから、作業員が警備装置の設置現場まで赴くことなく書換作業が行え、書換のための費用と時間を抑えることができる。また、ホスト装置が正規なものか否かをＩＤ情報を基に確認することで、正規の作業員以外の警備装置へのアクセスを防止することができる。
【００７３】
請求項９の発明によれば、作業員が警備装置の設置現場まで赴くことなく書換作業が行え、正規の作業員以外の警備装置へのアクセスを防止することができると共に、警備装置に適合した書換プログラムの書換が可能で、書換作業による不具合の発生を抑え、信頼性の高い書換が可能である。
【００７４】
請求項１０の発明によれば、書換プログラムに伝送上の誤りがある場合に書き換えを中止する誤り検出手段を備えるため、誤りを含む書換プログラムの使用を防止し、信頼性の高い書換が可能である。
【００７５】
請求項１１の発明によれば、ホスト装置から受信した書換プログラムを正規なものとして書換を行うことから、書換の迅速化を図ることができる。
【００７６】
請求項１２の発明によれば、書換プログラムに異常があるか否かを確認し、異常がある場合には送信を中止することにより、書換作業による不具合の発生を抑え、信頼性の高い書換が可能である。
【００７７】
請求項１３の発明によれば、伝送路を介して書換プログラムを受信して書換を行うことから、作業員が警備装置の設置現場まで赴くことなく書換作業が行え、書換のための費用と時間を抑えることができる。また、ホスト装置が正規なものか否かをＩＤ情報を基に確認することで、正規の作業員以外の警備装置へのアクセスを防止することができる。
【００７８】
請求項１４の発明によれば、作業員が警備装置の設置現場まで赴くことなく書換作業が行え、正規の作業員以外の警備装置へのアクセスを防止することができると共に、警備装置に適合した書換プログラムの書換が可能で、書換作業による不具合の発生を抑え、信頼性の高い書換が可能である。
【００７９】
請求項１５の発明によれば、書換プログラムに伝送上の誤りがある場合に書き換えを中止するため、誤りを含む書換プログラムの使用を防止し、信頼性の高い書換が可能である。
【００８０】
請求項１６の発明によれば、ホスト装置から受信した書換プログラムを正規なものとして書換を行うことから、書換の迅速化を図ることができる。
【００８１】
請求項１７の発明によれば、書換プログラムに異常があるか否かを確認し、異常がある場合には送信を中止することにより、書換作業による不具合の発生を抑え、信頼性の高い書換が可能である。
【図面の簡単な説明】
【図１】本発明に係る警備システムの一例を示す構成図である。
【図２】同警備システムを構成するホストコンピュータの一例を示す構成図である。
【図３】同警備システムを構成する警備装置の一例を示す構成図である。
【図４】本発明の第１の実施の形態のホストコンピュータの動作を示すフローチャートである。
【図５】本発明の第１の実施の形態の警備装置の動作を示すフローチャートである。
【図６】本発明の第１の実施の形態のホストコンピュータと警備装置とのやりとりを示すタイムチャートである。
【図７】本発明の第２の実施の形態の警備装置の動作を示すフローチャートである。
【図８】本発明の第２の実施の形態のホストコンピュータの動作を示すフローチャートである。
【図９】本発明の第２の実施の形態のホストコンピュータと警備装置とのやりとりを示すタイムチャートである。
【符号の説明】
１・・・・・・・・・警備システム
５・・・・・・・・・通信回線
６・・・・・・・・・接続ケーブル
１０・・・・・・・・ホストコンピュータ
１１・・・・・・・・ＣＰＵ
１２，１３・・・・・メモリ
１４・・・・・・・・表示器
１５・・・・・・・・入力部
１６・・・・・・・・インタフェース部
２０・・・・・・・・警備装置
２１・・・・・・・・ＣＰＵ
２２・・・・・・・・フラッシュＲＯＭ
２３・・・・・・・・ＥＥＰＲＯＭ
２４・・・・・・・・ＲＡＭ
２５・・・・・・・・時計
２６・・・・・・・・インタフェース部
２７・・・・・・・・通信制御部
３０・・・・・・・・プログラム
３０ａ・・・・・・・属性情報
３１・・・・・・・・ＩＤ情報
３５・・・・・・・・ホストアプリケーション
３５ａ・・・・・・・ＩＤ情報
３６，３７・・・・・書換プログラム
３６ａ，３７ａ・・・属性情報
【図１】
2004280330.tif 000003
【図２】
2004280330.tif 000004
【図３】
2004280330.tif 000005
【図４】
2004280330.tif 000006
【図５】
2004280330.tif 000007
【図６】
2004280330.tif 000008
【図７】
2004280330.tif 000009
【図８】
2004280330.tif 000010
【図９】
2004280330.tif 000011